(57)【特許請求の範囲】
【請求項１】
情報記憶媒体又は情報通信網から取出された情報をフィルタリングする情報フィルタ装置であって、
過去にアクセス許可して取込まれた情報に関するキーワード群と、前記キーワードが管理者により「適」とされた情報に含まれていた回数である適回数と、前記キーワードが管理者により「不適」とされた情報に含まれていた回数である不適回数と、が登録されたグループプロファイルを記憶した記憶部と、
管理者が管理するグループからアクセス請求信号を受けると、前記アクセス請求信号に基づいて情報を前記情報記憶媒体又は情報通信網から取出す情報取得手段と、
前記情報取得手段により取出された情報に関するキーワードについてその適回数及び不適回数を前記グループプロファイルから取得し、前記各キーワードの適回数及び不適回数を用いて当該情報の適否を定量的な数値で示すスコア信号を計算するスコア計算手段と、
前記スコア計算手段により計算されたスコア信号と閾値とを比較してアクセス請求元に対して当該情報へのアクセス制限を行うか否か決定するアクセス制限手段と、
前記グループからのアクセス請求信号が記録されるアクセス記録部と、
前記アクセス記録部に記録されたアクセス請求信号の記録に沿って前記管理者により判断された前記アクセス記録部に記録された情報に対する適否の評価結果を示す教師信号を入力するたびに、前記グループプロファイルに登録されているキーワードの適回数又は不適回数を前記評価結果に応じて更新する学習手段と、を具備する情報フィルタ装置。
【請求項２】
情報記憶媒体又は情報通信網から取出された情報をフィルタリングする情報フィルタ装置であって、
前記情報記憶媒体又は情報通信網から取出された情報から当該情報を特徴づけるキーワードを抽出するドキュメントプロファイル生成手段と、
過去にアクセス許可して取込まれた情報に関するキーワード群と、前記キーワードが管理者により「適」とされた情報に含まれていた回数である適回数と、前記キーワードが管理者により「不適」とされた情報に含まれていた回数である不適回数と、が登録されたグループプロファイルを記憶した記憶部と、
管理者が管理するグループからアクセス請求信号を受けると、前記アクセス請求信号に基づいて情報を前記情報記憶媒体又は情報通信網から取出す情報取得手段と、
前記情報取得手段により取出された情報から前記ドキュメントプロファイル生成手段により抽出された前記キーワードについてその適回数及び不適回数を前記グループプロファイルから取得し、前記各キーワードの適回数及び不適回数を用いて当該情報の適否を定量的な数値で示すスコア信号を計算するスコア計算手段と、
前記スコア計算手段により計算されたスコア信号と閾値とを比較してアクセス請求元に対して当該情報へのアクセス制限を行うか否か決定するアクセス制限手段と、
前記グループからのアクセス請求信号が記録されるアクセス記録部と、
前記アクセス記録部に記録されたアクセス請求信号の記録に沿って管理者により判断された前記アクセス記録部に記録された情報に対する適否の評価結果を示す教師信号を入力するたびに、前記グループプロファイルに登録されているキーワードの適回数又は不適回数を前記評価結果に応じて更新する学習手段と、を具備する情報フィルタ装置。
【請求項３】
前記アクセス記録部は、前記アクセス請求信号と共に当該情報から抽出されたキーワード群が記録され、前記学習手段は、管理者が前記教師信号を入力するたびに、当該情報のキーワード群に含まれていて前記グループプロファイルに登録されていないキーワードを前記グループプロファイルへ追加することを特徴とする請求項１又は請求項２記載の情報フィルタ装置。
【発明の詳細な説明】
【０００１】
【発明の属する技術分野】
本発明は、電子または光等を媒体とする記憶装置や情報通信網から情報を取り出す際に不要なもしくは不適切な情報へのアクセスを制限する情報フィルタ装置及び情報フィルタ方法に関する。
【０００２】
【従来の技術】
近年、情報フィルタ装置は、情報通信の社会基盤の進展に伴い、情報通信網の大規模化と通信量の著しい増大に対応する技術として、その実現が強く望まれている。そこで、本願出願人はユーザにとって必要性の高い情報又は興味のある情報を容易に取り出せるようにした情報フィルタ装置を開発し、特願平０８−２３００１２号および特願平９−４６３８４号として出願済みである。
【０００３】
【発明が解決しようとする課題】
しかし、上記の従来技術では、膨大な情報量からユーザの興味の高い情報を効率よく抽出してユーザに提供できるが、管理者から見てそのユーザにとって不適切な情報へのアクセスを制限することができないという課題を有していた。
【０００４】
本発明は、上記のような実情に鑑みて為されたものであり、管理者からみてユーザにとって不適切な情報へのアクセスを制限して適切な情報のみを抽出することのできる情報フィルタ装置及び情報フィルタ方法を提供することを目的とする。
【０００５】
【課題を解決するための手段】
上記目的を達成するために、本発明は以下のような手段を講じた。
【０００６】
情報記憶媒体又は情報通信網から取出された情報をフィルタリングする情報フィルタ装置において、過去に取出された中で管理者が適否を評価した情報に含まれていた当該情報を特徴づけるキーワードと前記管理者の情報に対する「適」「不適」の評価結果に応じて前記各キーワードに割り振られた数値とを対応させたグループプロファイルを記憶したグループプロファイル記憶部と、前記管理者の管理下にあるグループからのアクセス請求信号に応じて取得した情報に対して当該情報を特徴づけるキーワードと前記グループプロファイルとを用いて前記グループにとっての当該情報の適否を定量的な値で示すスコア信号を計算するスコア計算手段と、前記スコア計算手段により計算されたスコア信号と閾値とを比較してアクセス請求元に対して当該情報へのアクセス制限を行うか否か決定するアクセス制限手段と、前記グループからのアクセス請求信号が記録されるアクセス記録部とを具備し、前記管理者が前記アクセス記録部に記録されたアクセス請求信号にしたがって前記情報記憶媒体又は情報通信網から情報を取込み、当該情報に対する適否の評価を行うようにした。
【０００７】
【発明の実施の形態】
本発明の第１の態様は、情報記憶媒体又は情報通信網から取出された情報をフィルタリングする情報フィルタ装置であって、過去にアクセス許可して取込まれた情報に関するキーワード群と、前記キーワードが管理者により「適」とされた情報に含まれていた回数である適回数と、前記キーワードが管理者により「不適」とされた情報に含まれていた回数である不適回数と、が登録されたグループプロファイルを記憶した記憶部と、管理者が管理するグループからアクセス請求信号を受けると、前記アクセス請求信号に基づいて情報を前記情報記憶媒体又は情報通信網から取出す情報取得手段と、前記情報取得手段により取出された情報に関するキーワードについてその適回数及び不適回数を前記グループプロファイルから取得し、前記各キーワードの適回数及び不適回数を用いて当該情報の適否を定量的な数値で示すスコア信号を計算するスコア計算手段と、前記スコア計算手段により計算されたスコア信号と閾値とを比較してアクセス請求元に対して当該情報へのアクセス制限を行うか否か決定するアクセス制限手段と、前記グループからのアクセス請求信号が記録されるアクセス記録部と、前記アクセス記録部に記録されたアクセス請求信号の記録に沿って前記管理者により判断された前記アクセス記録部に記録された情報に対する適否の評価結果を示す教師信号を入力するたびに、前記グループプロファイルに登録されているキーワードの適回数又は不適回数を前記評価結果に応じて更新する学習手段と、を具備する情報フィルタ装置を具備する構成を採る。
【０００８】
このような構成により、アクセス記録部に記録されたアクセス請求信号の記録に沿って管理者により判断された前記アクセス記録部に記録された情報に対する適否の評価結果を示す教師信号を入力するといった簡単な操作で、不適切な情報へのアクセスを制限するグループプロファイルを生成することが出来、しかもグループ内のユーザが実際にアクセスした情報に基づいてグループプロファイルが生成されるので、極めて効率良く精度の高いアクセス制限を可能とするグループプロファイルを作成できるという作用を奏する。
【０００９】
また、本発明の第２の態様は、情報記憶媒体又は情報通信網から取出された情報をフィルタリングする情報フィルタ装置であって、前記情報記憶媒体又は情報通信網から取出された情報から当該情報を特徴づけるキーワードを抽出するドキュメントプロファイル生成手段と、過去にアクセス許可して取込まれた情報に関するキーワード群と、前記キーワードが管理者により「適」とされた情報に含まれていた回数である適回数と、前記キーワードが管理者により「不適」とされた情報に含まれていた回数である不適回数と、が登録されたグループプロファイルを記憶した記憶部と、管理者が管理するグループからアクセス請求信号を受けると、前記アクセス請求信号に基づいて情報を前記情報記憶媒体又は情報通信網から取出す情報取得手段と、前記情報取得手段により取出された情報から前記ドキュメントプロファイル生成手段により抽出された前記キーワードについてその適回数及び不適回数を前記グループプロファイルから取得し、前記各キーワードの適回数及び不適回数を用いて当該情報の適否を定量的な数値で示すスコア信号を計算するスコア計算手段と、前記スコア計算手段により計算されたスコア信号と閾値とを比較してアクセス請求元に対して当該情報へのアクセス制限を行うか否か決定するアクセス制限手段と、前記グループからのアクセス請求信号が記録されるアクセス記録部と、前記管理者が前記アクセス記録部に記録されたアクセス請求信号の記録に沿って管理者により判断された前記アクセス記録部に記録された情報に対する適否の評価結果を示す教師信号を入力するたびに、前記グループプロファイルに登録されているキーワードの適回数又は不適回数を前記評価結果に応じて更新する学習手段と、を具備する構成を採る。
【００１０】
このような構成により、情報記憶媒体又は情報通信網から取出された情報から当該情報を特徴づけるキーワードを抽出してスコア信号の計算に用いられるので、予めキーワードが付与されていない情報に対してもリアルタイムでキーワードを抽出でき、アクセス制限の判定が可能になるといった作用を奏する。
【００１１】
また、本発明の第３の態様は、第１、２の態様において、前記アクセス記録部は、前記アクセス請求信号と共に当該情報について作成されたキーワード群が記録され、前記学習手段は、管理者が前記教師信号を入力するたびに、当該情報のキーワード群に含まれていて前記グループプロファイルに登録されていないキーワードを前記グループプロファイルへ追加するようにした。
【００１２】
このような構成により、新たな情報にアクセスする度に新しいキーワードがグループプロファイルに追加登録されていき、より精度の高いフィルタリングが可能になる。しかも、グループ内のユーザがアクセス請求した際に取出した情報に対するスコア計算に使用したキーワード群を記憶しておき、後から管理者がアクセス請求信号にしたがって同一情報を取込んだ時に流用するのでキーワードを抽出する処理が１回で済み処理の簡素化を図ることができる。
【００１３】
また、本発明の第４の態様は、情報記憶媒体又は情報通信網から取出された情報をフィルタリングする情報フィルタ装置であって、過去に取出された中で管理者が適否を評価した情報に含まれていた当該情報を特徴づけるキーワードと前記管理者の情報に対する「適」「不適」の評価結果に応じて前記各キーワードに割り振られた数値とを対応させたグループプロファイルを記憶したグループプロファイル記憶部と、前記管理者の管理下にあるグループからのアクセス請求信号に応じて取得した情報に対して当該情報を特徴づけるキーワードと前記グループプロファイルとを用いて前記グループにとっての当該情報の適否を定量的な値で示すスコア信号を計算するスコア計算手段と、前記スコア計算手段により計算されたスコア信号と閾値とを比較してアクセス請求元に対して当該情報へのアクセス制限を行うか否か決定するアクセス制限手段と、前記グループからのアクセス請求信号に応じて取出された情報に対してアクセス許可した場合、その時のアクセス請求信号が記録されるアクセス記録部とを具備し、前記管理者が前記アクセス記録部に記録されたアクセス請求信号にしたがって前記情報記憶媒体又は情報通信網から情報を取込み、当該情報に対する適否の評価を行うようにしたものである。
【００１４】
このような構成により、グループ内のユーザが実際にアクセスした情報に基づいてグループプロファイルが生成されるので、極めて効率良く精度の高いアクセス制限を可能とするグループプロファイルを作成できるという作用を奏する。
【００２１】
以下、本発明の実施の形態について、図１から図３を用いて説明する。
【００２２】
図１は、本発明の一実施の形態にかかる情報フィルタ装置の機能ブロックを示している。以下では、ブラウザ機能を持つユーザ端末からインターネット上で情報を提供しているホストコンピュータへアクセスして取り出された情報をフィルタリングする場合を一例にして説明する。
【００２３】
図１に示す情報フィルタ装置１０は、ユーザ端末から出されたアクセス請求信号をアクセス先となるホームページ等を提供しているホストコンピュータへ中継する一方、アクセス先のホストコンピュータの情報（以下、ホームページ信号と呼ぶ）を受信してフィルタリングするものである。
【００２４】
情報フィルタ装置１０には、ホームページ信号ＨＰを特徴づけるドキュメントプロファイル信号ＤＰ（ＨＰ（ＡＲ））を作成するドキュメントプロファイル作成部１１と、グループにとっての情報の適否を定めたグループプロファイル信号ＧＰを記憶したグループプロファイル記憶部１２と、ドキュメントプロファイル信号ＤＰ（ＨＰ（ＡＲ））とグループプロファイル信号ＧＰとを用いてホームページ信号ＨＰのグループにとっての情報の適否を定量的に評価した信号であるスコア信号Ｓ（ＤＰ（ＨＰ（ＡＲ）））を計算するスコア計算部１３と、アクセス制御部１４とを備えている。アクセス制御部１４は、アクセス請求したユーザの認証信号ＩＤとスコア信号Ｓ（ＤＰ（ＨＰ（ＡＲ）））とホームページ信号ＨＰとドキュメントプロファイル信号ＤＰ（ＨＰ（ＡＲ））とを受け、認証信号ＩＤが一般ユーザであれば、前記スコア信号Ｓ（ＤＰ（ＨＰ（ＡＲ）））と管理者によって設定された閾値ＴＨとを比較し前記スコア信号Ｓ（ＤＰ（ＨＰ（ＡＲ）））が閾値ＴＨ以上の場合に前記ホームページ信号ＨＰを、閾値ＴＨ未満の場合にアクセス不許可信号ＡＦを要求元のユーザ端末に送信し、認証信号ＩＤが管理者の場合には常に前記ホームページ信号ＨＰを送る。
【００２５】
また、この情報フィルタ装置１０は、アクセス請求信号ＡＲとドキュメントプロファイル信号ＤＰ（ＨＰ（ＡＲ））とを記録するアクセス記録部１５と、アクセス請求信号の記録に沿って管理者がアクセス請求のあった外部のホームページが適切か否かを判断し管理者の入力する教師信号Ｔとドキュメントプロファイル信号ＤＰ（ＨＰ（ＡＲ））とを用いてグループプロファイル信号ＧＰを修正するグループプロファイル学習部１６を備えている。
【００２６】
図２に、上記情報フィルタ装置１０をインターネットの情報フィルタリングに用いる場合のシステム構成を示す。２１−１〜２１−３は、ＬＡＮ２２上に接続されているブラウザ機能を備えたユーザ端末であり、管理者を除き情報フィルタ装置１０によってフィルタリングされた情報だけにアクセスできる。
【００２７】
一方、２３−１〜２３−５は、インターネット上で情報を提供しているホストコンピュータであり、インターネット回線２４を介してアクセス請求された情報を提供している。ここで、ホストコンピュータ２３−１〜２３−５が提供する情報に制限はないが、インターネットの使用事例に即して、ホストコンピュータ２３−１〜２３−５が提供する情報はホームページ信号ＨＰであるとする。
【００２８】
情報フィルタ装置１０は、上記した機能ブロックの他に、ユーザ端末２１−１〜２１−３から出力されたアクセス請求信号ＡＲをアクセス先のホストコンピュータへ中継する送信中継部１７と、アクセス先のホストコンピュータから送られてきたホームページ信号ＨＰを受信して所定の機能ブロックへ入力する受信中継部１８とを備えている。
【００２９】
以上のように構成された本実施の形態の動作について説明する。
【００３０】
ユーザは、あるユーザ端末２１−１を通じて自分の認証信号ＩＤと外部のあるホストコンピュータ２３−１のホームページ信号ＨＰにアクセスするためのアクセス請求信号ＡＲを送信する。
【００３１】
情報フィルタ装置１０は、ユーザ端末２１−１から受信したアクセス請求信号ＡＲをホストコンピュータ２３−１へ中継し、ホストコンピュータ２３−１からホームページ信号ＨＰのデータを収得する。収得したホームページ信号ＨＰを解析し、管理者の定めた情報の適否の判断基準と比較し、適切であると判断されれば前記ホームページ信号ＨＰは前記アクセス請求信号ＡＲを発したユーザ端末２１−１に送る。不適切であると判断された場合は、ホームページ信号ＨＰへのアクセスが許可されていないことを示すアクセス不許可信号ＡＦを前記アクセス請求信号ＡＲの発っせられたユーザ端末２１−１に送る。なお、認証信号ＩＤが管理者のものであれば情報の適否を判断すること無く要求元のユーザ端末へ送信する。
【００３２】
次に、情報フィルタ装置１０の具体的な動作内容について説明する。
【００３３】
まず、ドキュメントプロファイル信号ＤＰ（ＨＰ）とグループプロファイル信号ＧＰとの好ましい形を述べる。ドキュメントプロファイル信号ＤＰ（ＨＰ）は、ホームページ信号ＨＰを特徴づける信号であればなんでもよいが、好ましいものとしては
（１）ホームページアドレス
（２）ホームページの文章（一般的には、文字列）から抽出されたキーワード
（３）リンク情報
などがあげられる。この他にも、ホームページを特徴づける有効な信号として、画像データと文字データの割合などがある。簡単のために以下の説明では、上記のホームページアドレス、キーワード、リンク情報は全て文字列なので、これらをすべて広義のキーワードとして捉え、ドキュメントプロファイル信号ＤＰ（ＨＰ）は、ホームページＨＰから取り出された（広義の）キーワード群信号（ＫＷ１（ＨＰ）、ＫＷ２（ＨＰ）、…、ＫＷｎ（ＨＰ））であるとする。（式１）にドキュメントプロファイル信号ＤＰ（ＨＰ）を表す。
【００３４】
【数１】
0004119623.tif 000002
【００３５】
グループプロファイル信号ＧＰは、前記ドキュメントプロファイル信号ＤＰ（ＨＰ）と管理者からの教師信号Ｔとから構成されるものであり、キーワードと教師信号の入力状況を反映した図３に示すようなものであるとする。図３において、ＰＹは管理者が適と判断した回数であり、ＰＮは管理者が不適と判断した回数であり、ＧＫＷｘ（ｘ＝１、２、…、ｍ）はキーワードであり、ＱＹｘはキーワードＧＫＷｘを含んだホームページ信号に対し管理者が適と判断した回数であり、ＱＮｘはＧＫＷｘを含んだホームページ信号に対し管理者が不適と判断した回数である。情報フィルタ装置１０の初期状態は、未学習の状態であるのでグループプロファイル信号ＧＰは（式２）で表され、またアクセス記憶部１５の閾値ＴＨは０に設定される。
【００３６】
【数２】
0004119623.tif 000003
【００３７】
グループプロファイル記憶部１２に格納されるグループプロファイル信号ＧＰは、管理者がユーザ端末等からドキュメントプロファイル信号ＤＰ（ＨＰ）に対して適否を判断した判断結果を教師信号Ｔで更新することにより更新される。
【００３８】
たとえば、管理者が外部の不適切な情報を配信しているホストコンピュータ（ホームページ）を知っている場合には、管理者はユーザ端末２１を通じて前記不適切な情報を配信しているホストコンピュータを指定するアクセス請求信号ＡＲを情報フィルタ装置１０へ送る。
【００３９】
情報フィルタ装置１０の送信中継部１７は前記アクセス請求信号ＡＲを前記ホストコンピュータ２３−２に中継する。前記ホストコンピュータ２３−２は、不適切な情報であるホームページ信号ＨＰ（ＡＲ）を情報フィルタ装置１０の受信中継部１８に送り返してくる。受信中継部１８は、ホームページ信号ＨＰ（ＡＲ）をアクセス制御部１４とドキュメントプロファイル作成部１１とに送る。
【００４０】
ドキュメントプロファイル作成部１１は、前記ホームページ信号ＨＰ（ＡＲ）から予め定められた方法（例えば、形態素解析手法）によってキーワードの抽出を行い、ドキュメントプロファイル信号ＤＰ（ＨＰ（ＡＲ））を（式３）のように作成し、スコア計算部１３に送信する。
【００４１】
【数３】
0004119623.tif 000004
【００４２】
スコア計算部１３は、ドキュメントプロファイルＤＰ（ＨＰ（ＡＲ））に含まれる各キーワードについて、（式４）でＳＫＷ（ＫＷｉ）の値を計算し、
【００４３】
【数４】
0004119623.tif 000005
【００４４】
得られた総和ＳＣＯＲＥ
【００４５】
【数５】
0004119623.tif 000006
【００４６】
をスコア信号Ｓとし、ドキュメントプロファイル信号ＤＰ（ＨＰ（ＡＲ））とともにアクセス制御部１４に送る。
【００４７】
アクセス制御部１４では、初期状態のグループプロファイルＧＰに対しては、全てのキーワードが０となり、スコア信号Ｓは前記閾値ＴＨと同じ値になり、アクセスは許可されている状態となる。今はユーザ端末２１−１のユーザは管理者であるからスコア信号Ｓの値とは関わりなく、アクセス制御部１４はホームページ信号ＨＰ（ＡＲ）をユーザ端末２１−１に送信する。また、アクセス請求信号ＡＲ、スコア信号Ｓ（ＤＰ（ＨＰ（ＡＲ）））、及びドキュメントプロファイル信号ＤＰ（ＨＰ（ＡＲ））を、（式６）に示すアクセス記録信号ＡＬとしてアクセス記録部１５に書き込む。
【００４８】
【数６】
0004119623.tif 000007
【００４９】
管理者のユーザ端末２１−１には、ホストコンピュータ２３−２から取出された前記ホームページ信号ＨＰ（ＡＲ）が表示される。管理者のユーザ端末２１−１に表示された不適切な情報を管理者が「不適切」と判断し、「アクセス請求信号ＡＲによって配信されてきたホームページＨＰ（ＡＲ）信号は不適切な情報である」との判断を示す教師信号Ｔ＝（不適切、ＡＲ）をグループプロファイル学習部１６に送る。
【００５０】
前記教師信号Ｔを受けたグループプロファイル学習部１６は、前記教師信号Ｔに含まれるアクセス請求信号ＡＲを含むアクセス記録信号ＡＬを読み出す。今は「アクセス請求信号ＡＲは不適切」と判断されている場合なので、グループプロファイル学習部１６は、グループプロファイル信号を初期状態から（式７）のように更新させる。
【００５１】
【数７】
0004119623.tif 000008
【００５２】
仮に、グループプロファイル信号が（式７）の状態で、管理者以外の一般ユーザがユーザ端末２１−３を通じて前記の不適切なホームページへアクセスしようとすると、スコア計算部１３が計算するスコア信号Ｓは前記閾値ＴＨより小さい負の値となり、アクセス制御部１４からはホームページ信号ＨＰ（ＡＲ）ではなく、アクセス不許可信号ＡＦがユーザ端末２１−３に表示されることになる。
【００５３】
適切なホームページについても、管理者は、上と同様な方法でグループプロファイルに登録できる。そして、適切なホームページ、不適切なホームページという判断を多数入力（例えば５０件）することによって、以下のような不適切ページへのアクセスを高い精度で制限するグループプロファイル（式８）を作成できる。
【００５４】
【数８】
0004119623.tif 000009
【００５５】
情報フィルタ装置１０のメンテナンスは、以下ようなものである。
【００５６】
管理者がグループプロファイル信号ＧＰを設定したあと、管理者以外の一般のユーザ（複数）がユーザ端末２１−１〜２１−３から外部のホームページにｊ回アクセスすると、そのアクセスの記録は（式９）に示すアクセス記録信号ＡＬｋとしてアクセス記録部１５に記録される。
【００５７】
【数９】
0004119623.tif 000010
【００５８】
管理者は、アクセス記録部１５に記録されたアクセス請求信号ＡＲｋについて、その内容をユーザ端末２１−１〜２１−３のいずれかを通じて調べ、自分の判断が「適切」になる場合にスコア信号Ｓｋが閾値ＴＨより大きくなり、「不適切」になる場合にスコア信号Ｓｋが閾値ＴＨより小さくるように正しく設定されているかを調べる。もし、誤りがあれば、上の手続きにしたがって教師信号Ｔを入力してグループプロファイルＧＰを修正する。
【００５９】
このように本実施の形態によれば、情報通信網から不適切な情報を除きつつ所定の情報を取り出すために、管理者が提示された情報に対し情報の適否（教師信号）をユーザ端末２１−１から入力し、教師信号を用いて管理者の定める情報の適否を反映したグループプロファイルを作成して情報ごとに情報の適否をあらわすスコア信号を計算できるようにしたので、グループプロファイルを用いて計算されたスコア信号を利用し情報のアクセスを制限することができ、管理者は、情報が適切なものか否かを判定し情報フィルタ装置に入力するだけで、グループの一般ユーザが不適切な情報へのアクセスを制限することができる。
【００６０】
以上の説明では、本発明の情報フィルタ装置を情報通信網から情報を取出す際に不適切な情報を自動的にフィルタリングするシステムに適用した場合について詳述したが、インターネットのような情報通信網に限らず、電子又は光を媒体とする記憶装置から直接情報を取出すシステムにも同様に適用できる。
【００６１】
また、図２に示すようにブラウザ機能を持つユーザ端末２１−１〜２１−３と同じＬＡＮ２２上に情報フィルタ装置を配置する必要はなく、ユーザ端末内又は外部ネットワーク上、さらに情報配信元のホストコンピュータ内に配置することもできる。
【００６２】
【発明の効果】
以上詳記したように本発明によれば、管理者からみてユーザにとって不適切な情報へのアクセスを制限して適切な情報のみを抽出することのできる情報フィルタ装置及び情報フィルタ方法を提供できる。
【図面の簡単な説明】
【図１】本発明の一実施の形態にかかる情報フィルタ装置の機能ブロック図
【図２】上記一実施の形態の情報フィルタ装置を適用したシステム構成図
【図３】グループプロファイルの形式示す概念図
【符号の説明】
１０  情報フィルタ装置
１１  ドキュメントプロファイル作成部
１２  グループプロファイル記憶部
１３  スコア計算部
１４  アクセス制御部
１５  アクセス記録部
１６  グループプロファイル学習部
１７  送信中継部
１８  受信中継部
２１−１〜２１−３  ユーザ端末
２２  ＬＡＮ
２３−１〜２３−５  ホストコンピュータ
２４  インターネット回線
【図１】
0004119623.tif 000011
【図２】
0004119623.tif 000012
【図３】
0004119623.tif 000013